(57)【要約】      （修正有）【課題】重量感を持つが軽量性をもって、テーブル表面が鏡面で傷つかない硬度を示し、擦り傷がつき難い鏡面性表面を持つ広幅型天板台付き家具を提供する。【解決手段】広幅な天板を持つテーブル、カウンター等の家具であり、鏡面性を持つ熱硬化性樹脂の被覆化粧表面材６と、表面材に対するアルミニウム板材５と無垢板材４とからなる角材状平面性維持具と、テーブル台、カウンター台の基本台座である芯材の広幅の木質基盤平板７とを含む。【選択図】図３
0003212165.tif 000002
【実用新案登録請求の範囲】
【請求項１】
広幅な天板を持つテーブル、カウンターにおいて、鏡面性を持つ熱硬化性樹脂の被覆化粧表面材と、前記表面材に対するアルミニウム板材と無垢板材とからなる角材状平面性維持具と、テーブル台、カウンター台の基本台座である芯材の広幅の木質基盤平板とを含むことを特徴とする擦り傷がつき難い鏡面性表面を持つ広幅型天板台付き家具。
【請求項２】
鏡面性を持つメラミン被覆化粧表面材は、メラミン樹脂加工した鏡面性表面層と、装飾性を表す模様、又は色柄を表現した意匠性化粧紙層と、熱硬化性樹脂からなる強度保持層とからなって、前記鏡面性表面層は、特殊メラミン樹脂を高圧加工された表面層であり、前記意匠性化粧紙層は、紙にメラミン樹脂、又はフェノール樹脂の熱硬化性樹脂を含侵させて高温加圧で加工された０．４〜１．２ｍｍの厚さの鏡面性、意匠性をもつ化粧表面層になっていることを特徴とする請求項１に記載の擦り傷がつき難い鏡面性表面を持つ広幅型天板台付き家具。
【請求項３】
テーブル台、カウンター台の前記平面性維持具は、アルミニウム板材と無垢板材とからなる接合角材状になって、テーブル台、カウンター台の両端に固着させて、メラミン被覆化粧表面材と木質基盤平板からなるテーブル台、カウンター台の平面性を維持して、前記台の天板の平面のヒワリを防止する効果を持っており、厚さ３〜６ｍｍ、幅１８〜２３ｍｍのアルミニウム板を厚さ２０〜３０ｍｍ、幅４５〜５０ｍｍの無変質性木材の無垢木板に螺着したものであって、長さとしてはテーブル台、カウンター台の天板の長さになっていることを特徴とする請求項１、及び請求項２に記載の擦り傷がつき難い鏡面性表面を持つ広幅型天板台付き家具。
【請求項４】
芯材の広幅の木質基盤平板は、厚さ３０〜４０ｍｍ、幅８００〜９５０ｍｍ、長さ１０００〜２０００ｍｍであって、比重として０．５〜０．８、曲げ強度３５０〜４５０ｋｇｆ／ｃｍ２、吸水による膨張率１．５〜２．０％の木質材で、ＭＤＦ，パーテクルボード、合板から選ばれたものであり、前記化粧板材との接合にはフタル酸エステル系接着剤を使用していることを特徴とする請求項１〜請求項３のいずれかに記載の擦り傷がつき難い鏡面性表面を持つ広幅型天板台付き家具。
【請求項５】
広幅型天板台付き家具は、テーブル、カウンター、カウンター付き大型食器棚であることを特徴とする請求項１〜請求項４のいずれかに記載の擦り傷がつき難い鏡面性表面を持つ広幅型天板台付き家具。
【考案の詳細な説明】
【技術分野】
【０００１】本考案は、テーブル台、カウンター台の天板の表面が鏡面的光沢をもって、表面に装飾性の模様を呈した意匠性を持ち、しかも重量感を持つが軽量性をもって、テーブル、カウンターの表面が鏡面で傷つかない硬度を示している、擦り傷がつき難い鏡面性表面を持つ広幅型天板台付き家具に関する。
【背景技術】
【０００２】リビングルームや寝室等に配置される家具の機能をそのまま保持して該家具の装飾性を高め、居住空間を美しく演出することを課題として、テーブルの天板及び脚部を透明な樹脂で成形すると共に、これらの内部に物品収納スペースを設けて、該スペースにドライフラワーやポプリ等を収納する。また、適宜小さい通気孔を穿設して芳香剤を収納する。これにより、収納されたドライフラワー等の彩りで居住空間が美しく演出され、また芳香によって安らぎ感が生まれるテーブルが提案されている（特許文献１参照）。簡単に開閉が容易であって、デザイン性に優れているものが望まれている。【０００３】テーブルにおいて、軽量で高剛性のパネル材を用いながら任意平面形状の天板を容易に製造することができるとともにリサイクル性に優れた天板を得るために、平板状とされたパネル材の周囲にアルミニウム等の軽金属製型材からなるフレームを固着してテーブル天板とされるものであって、天板の前縁に装着されるフロントフレームおよび前縁を除く他の周囲に装着されるサイドフレームはその基部の上下面に板厚相当の段差部が形成されていて、上面側の段差部の高段部上に化粧板を当接して上板を含んで接着され、前記フロントフレームには樹脂製のフロントエッジ材が、前記サイドフレームにはサイドエッジ材が嵌着されているものが提案されている（特許文献２参照）。【０００４】摩擦係数が高く滑りにくいと共に、耐摩耗性に優れ、硬質樹脂基材層との接着性にも優れた表面層を有する乗物用テーブル天板において、硬質樹脂の基材層と熱可塑性エラストマーの表面層とが熱融着された複合成形板からなり、該熱可塑性エラストマーの表面層がポリエステル系熱可塑性エラストマー、ポリアミド系熱可塑性エラストマー、及びポリウレタン系熱可塑性エラストマーよりなる群から選ばれたいずれかの熱可塑性エラストマーを含有すると共に、その表面の最大静摩擦係数が０．５以上である乗物用テーブル天板が提案されている（特許文献３参照）。【０００５】テーブル天板などの材料として利用することで、表面の硬度をあげるための塗料材料として、ガラスビーズの含有量が、塗料の樹脂固形分に対して５０〜１５０重量部である、木材の表面を硬くし、押しキズを防ぐ効果を有する塗料を提供するものである。特に、木質面を生かした、表面硬度の十分な塗料の施工方法を提供している（特許文献４参照）。【０００６】テーブル天板の支持強度が高いとともに、テーブル天板として木製や暖かみのある素材や模様のものを採用した場合でも、意匠的にテーブル天板と調和し且つ体感温度においても近似したテーブル脚を提供するために、テーブル天板の下面に複数本固定してテーブルを形成してなるテーブル脚であって、テーブル天板の下面にネジ止め固定するための金属製取付け板の適所に、金属製杆体からなる構造脚柱を垂下固着するとともに、該構造脚柱の外面長手方向に沿って木製又は合成樹脂製又は金属製の化粧脚柱を取付けていることが提案されている（特許文献５参照）。【０００７】しかし、テーブル台の天板の表面が鏡面的光沢をもって、表面に装飾性の模様を呈した意匠性を持ち、しかも重量感を持つが軽量性をもって擦り傷がつかない鏡面性表面を持つテーブル家具は存在していない。とくに鏡面を持って木質などの装飾性を備えている点から、広範囲な活用できるテーブル天板を提供することが望まれている。
【先行技術文献】
【特許文献】
【０００８】
【特許文献１】実用新案登録第３０２６２７７号公報
【特許文献２】特開２００３−１７４９３５号公報
【特許文献３】特開平１１−２５３２４４号公報
【特許文献４】特開平１０−１０１９７３号公報
【特許文献５】特開平０８−１１７０３３号公報
【考案の概要】
【考案が解決しようとする課題】
【０００９】従来、リビングルーム、ダイニングルームなどに使用されるテーブル台、カウンター台の天板の表面は、デザイン性が望ませ、今までにない意匠を持って、物品を置いても傷がつき難いものが必要とされている。特に鏡面的光沢をもって、表面に装飾性の模様を呈した意匠性を持ったテーブル台、カウンター台には非常に関心度が高いものである。またリビングルーム、キッチンルームの部屋内に置く場合には装飾性とともに、重量感を持つことが、期待されている。しかし簡単に模様替えできるように、移動性もよくするために、軽量性をもって擦り傷がつき難い鏡面性表面を持つテーブル家具が期待されている。それらの点から鏡面を持って木質などの装飾性を備えて、広範囲な応用できるテーブル台、カウンター台の広幅型天板台付き家具を提供する。【００１０】このように、擦り傷がつき難い鏡面性表面を持つテーブル、カウンターの家具などにおける，テーブル、カウンターの天板、特に表面の状態と装飾については、使用者によって異なる様々な要望があるにもかかわらず、従来の据え付けメラミン被覆テーブル、カウンターの場合、表面に装飾性の模様を呈した意匠性を持ち、しかも重量感を持つが軽量性をもって擦り傷がつき難い鏡面性表面を持つテーブル、カウンターの家具では存在していない。とくに鏡面を持って木質などの装飾性を備えており、使用時に安全性に、操作性で問題のないテーブル、カウンターの広幅型天板台付き家具を提供することにある。
【課題を解決するための手段】
【００１１】広幅な天板を持つテーブル、カウンターにおいて、鏡面性を持つ熱硬化性樹脂の被覆化粧表面材と、前記表面材に対するアルミニウム板材と無垢板材とからなる角材状平面性維持具と、テーブル台、カウンター台の基本台座である芯材の広幅の木質基盤平板とを含む擦り傷がつき難い鏡面性表面を持つ広幅型天板台付き家具である。【００１２】鏡面性を持つメラミン被覆化粧表面材は、メラミン樹脂加工した鏡面性表面層と、装飾性を表す模様、又は色柄を表現した意匠性化粧紙層と、熱硬化性樹脂からなる強度保持層とからなって、前記鏡面性表面層は、特殊メラミン樹脂を高圧加工された表面層であり、前記意匠性化粧紙層は、紙にメラミン樹脂、又はフェノール樹脂の熱硬化性樹脂を含侵させて高温加圧で加工された０．４〜１．２ｍｍの厚さの鏡面性、意匠性をもつ化粧表面層になっている。高温加圧で加工は、原紙にメラミン樹脂、又はフェノール樹脂を含侵させて、１３０〜２００℃の高温で、圧力として８０〜１５０ｋｇ／ｃｍ２で積層加工されたものである。【００１３】テーブル台、の前記平面性維持具は、アルミニウム板材と無垢板材とからなる接合角材状になって、テーブル台、の両端に固着させて、メラミン被覆化粧表面材と木質基盤平板からなるテーブル台、の平面性を維持して、前記台の天板の平面のヒワリを防止する効果を持っており、厚さ３〜６ｍｍ、幅１８〜２３ｍｍのアルミニウム板を厚さ２０〜３０ｍｍ、幅４５〜５０ｍｍの無変質性木材の無垢木板に螺着したものであって、長さとしてはテーブル台、カウンター台の天板の長さになっている。【００１４】芯材の広幅の木質基盤平板は、厚さ３０〜４０ｍｍ、幅８００〜９５０ｍｍ、長さ１０００〜２０００ｍｍであって、比重として０．５〜０．８、曲げ強度３５０〜４５０ｋｇｆ／ｃｍ２、吸水による膨張率１．５〜２．０％の木質材で、ＭＤＦ，パーテクルボード、合板から選ばれたものであり、前記化粧板材との接合にはフタル酸エステル系接着剤を使用している。
広幅型天板台付き家具は、テーブル、カウンター、カウンター付き大型食器棚である。
【考案の効果】
【００１５】鏡面的光沢をもって、表面に装飾性の模様を呈した意匠性を持ったテーブル台、カウンター台が得られて、リビングルーム、キッチンルームの部屋内に置く場合には装飾性とともに、重量感を持つことができた。またテーブル、カウンターを移動させることによって簡単に模様替えできた。さらにテーブル、カウンターの移動性もよく、軽量性をもって擦り傷がつき難い鏡面性表面を持つテーブル、カウンターの家具あるので、物品の接触、打撃によっても傷がつき難く、長期間鏡面を維持した。それらの点から鏡面を持って木質などの装飾性を備えて、広範囲な応用できるテーブル台、カウンター台などの広幅型天板台付き家具として提供できた。
【図面の簡単な説明】
【００１６】
【図１】擦り傷がつき難い鏡面性表面を持つテーブルの斜視図  （ａ）：テーブルのみ  （ｂ）：テーブルと椅子セット
【図２】擦り傷がつき難い鏡面性表面を持つテーブルの化粧材の構造図
【図３】擦り傷がつき難い鏡面性表面を持つテーブルの平面性維持具の詳細図
【図４】擦り傷がつき難い鏡面性表面を持つテーブルの鏡面性、意匠性の状態図  （ａ）：鏡面  （ｂ）：意匠
【考案を実施するための形態】
【００１７】図１は、擦り傷がつき難い鏡面性表面を持つ広幅型天板台付き家具テーブルの斜視図、図２は擦り傷がつき難い鏡面性表面を持つテーブルの化粧材の構造図、図３は、擦り傷がつき難い鏡面性表面を持つテーブルの平面性維持具の詳細図、図４は、擦り傷がつき難い鏡面性表面を持つテーブルの鏡面性、意匠性の状態図である。
【実施例１】
【００１８】図１は、広域な天板を持つテーブ台において、鏡面性を持つ熱硬化性樹脂の被覆化粧表面材と、アルミニウム板材と無垢板材とからなる角材状の前記表面材に対する平面性維持具と、テーブル台の基本台座である芯材の広幅の木質平板盤とを含む擦り傷がつかない鏡面性表面を持つテーブルである。【００１９】図２に示すようなテーブルの構造になっている鏡面性を持つメラミン被覆化粧表面材は、メラミン樹脂加工した鏡面性表面層と、装飾性を表す模様、色柄を表現した意匠性化粧紙層と、熱硬化性樹脂からなる強度保持層とからなって、紙にメラミン樹脂、又はフェノール樹脂の熱硬化性樹脂を含侵させて高温加圧で加工された０．８ｍｍの厚さの鏡面性、意匠性をもつ化粧板材にした。【００２０】図３に示すようなテーブル台の平面性維持具は、アルミニウム板材５と無垢板材４とからなる接着角材状になって、テーブル台の両端に固着させて、メラミン被覆化粧表面材６と木質平板盤７からなるテーブル台の平面性を維持して、台の平面のヒワリを防止する効果を持っており、厚さ４ｍｍ、幅２０ｍｍのアルミニウム板を厚さ２５ｍｍ、幅４７ｍｍの無変質木材の無垢木板に螺着したものであって、長さとしてはテーブル台の長さにした。【００２１】芯材の広幅の木質平板盤は、厚さ３５ｍｍ、幅９００ｍｍ、長さ１８００ｍｍであって、比重として０．７、曲げ強度４００ｋｇｆ／ｃｍ２、吸水による膨張率１．７％の木質材のＭＤＦを使用し、前記化粧板材の接合にはフタル酸エステル系接着剤を利用した。図１（ａ）に示すようにテーブル表面は、鏡のようにツルツルであって、傷についてもつき難いものであった。今までないテーブルであった。
【実施例２】
【００２２】実施例１と同様に、広域な天板を持つテーブ台において、鏡面性を持つ熱硬化性樹脂の被覆化粧表面材と、アルミニウム板材と無垢板材とからなる角材状の前記表面材に対する平面性維持具と、テーブル台の基本台座である芯材の広幅の木質平板盤とを含む擦り傷がつかない鏡面性表面を持つテーブルを製作した。【００２３】図２の鏡面性を持つメラミン被覆化粧表面材は、メラミン樹脂加工した鏡面性表面層と、装飾性を表す模様を表現した意匠性化粧紙層と、熱硬化性樹脂からなる強度保持層とからなって、紙にメラミン樹脂とフェノール樹脂の熱硬化性樹脂を含侵させて高温加圧で加工された０．５ｍｍの厚さの鏡面性、意匠性をもつ化粧板材にした。【００２４】テーブル台の平面性維持具は、アルミニウム板材と無垢板材とからなる接着角材状になって、テーブル台の両端に固着させて、メラミン被覆化粧表面材と木質平板盤からなるテーブル台の平面性を維持して、台の平面のヒワリを防止する効果を持っており、厚さ３ｍｍ、幅１８ｍｍのアルミニウム板を厚さ２０ｍｍ、幅４５ｍｍの無垢木板に螺着したものであって、長さはテーブル台の長さにした。【００２５】芯材の広幅の木質平板盤は、厚さ３０ｍｍ、幅８０００ｍｍ、長さ１０００ｍｍであって、比重として０．６、曲げ強度３５０ｋｇｆ／ｃｍ２、吸水による膨張率１．５％の合板にした。前記化粧板材の接合にはフタル酸エステル系接着剤を使用した。図１（ａ）に示すようにテーブル表面は、鏡のようにツルツルであって、傷についてもつき難いものであった。今までないテーブルであった。
【実施例３】
【００２６】実施例１と同様に、広域な天板を持つテーブ台において、鏡面性を持つ熱硬化性樹脂の被覆化粧表面材と、アルミニウム板材と無垢板材とからなる角材状の前記表面材に対する平面性維持具と、テーブル台の基本台座である芯材の広幅の木質平板盤とを含む擦り傷がつかない鏡面性表面を持つテーブルを製作した。【００２７】図２に示すようにテーブル台の平面性維持具は、アルミニウム板材と無垢板材とからなる接着角材状になって、テーブル台の両端に固着させて、メラミン被覆化粧表面材と木質平板盤からなるテーブル台の平面性を維持して、台の平面のヒワリを防止する効果を持っており、厚さ６ｍｍ、幅２３ｍｍのアルミニウム板を厚さ３０ｍｍ、幅５０ｍｍの無垢木板に螺着したものであって、長さとしてはテーブル台の長さにした。【００２８】芯材の広幅の木質平板盤は、厚さ４０ｍｍ、幅９５０ｍｍ、長さ２０００ｍｍであって、比重として０．７、曲げ強度３５０ｋｇｆ／ｃｍ２、吸水による膨張率２．０％の木質材のパーテクルボードであり、前記化粧板材の接合にはフタル酸エステル系接着剤を使用した。図１（ａ）に示すようにテーブル表面は、鏡のようにツルツルであって、傷についてもつき難いものであった。今までないテーブルであった。
【符号の説明】
【００２９】１．テーブル天板
２．テーブル脚
３．椅子
４．無垢板材
５．アルミニウム板材
６．メラミン被覆化粧表面材
７．ＭＤＦ
【図１】
0003212165.tif 000003
【図２】
0003212165.tif 000004
【図３】
0003212165.tif 000005
【図４】
0003212165.tif 000006
【手続補正書】
【提出日】平成29年6月16日(2017.6.16)
【手続補正１】
【補正対象書類名】実用新案登録請求の範囲
【補正対象項目名】全文
【補正方法】変更
【補正の内容】
【実用新案登録請求の範囲】
【請求項１】
広幅な天板を持つテーブル、カウンターにおいて、鏡面性を持つ熱硬化性樹脂の被覆化粧表面材と、前記表面材に対するアルミニウム板材と無垢板材とからなる角材状平面性維持具と、テーブル台、カウンター台の基本台座である芯材の広幅の木質基盤平板とを含み、前記木質基盤平板の長手方向の両サイドに前記角材状平面性維持具を固着して、これら平面性維持具を固着した木質基盤平板の上面に前記被覆化粧表面材である化粧板を張っていることを特徴とする擦り傷がつき難い鏡面性表面を持つ広幅型天板台付き家具。
【請求項２】
鏡面性を持つメラミン被覆化粧表面材は、メラミン樹脂加工した鏡面性表面層と、装飾性を表す模様、又は色柄を表現した意匠性化粧紙層と、熱硬化性樹脂からなる強度保持層とからなって、前記鏡面性表面層は、特殊メラミン樹脂を高圧加工された表面層であり、前記意匠性化粧紙層は、紙にメラミン樹脂、又はフェノール樹脂の熱硬化性樹脂を含侵させて高温加圧で加工された０．４〜１．２ｍｍの厚さの鏡面性、意匠性をもつ化粧表面層になっていることを特徴とする請求項１に記載の擦り傷がつき難い鏡面性表面を持つ広幅型天板台付き家具。
【請求項３】
テーブル台、カウンター台の前記平面性維持具は、アルミニウム板材と無垢板材とからなる接合角材状になって、テーブル台、カウンター台の両端に固着させて、メラミン被覆化粧表面材と木質基盤平板からなるテーブル台、カウンター台の平面性を維持して、前記台の天板の平面のヒワリを防止する効果を持っており、厚さ３〜６ｍｍ、幅１８〜２３ｍｍのアルミニウム板を厚さ２０〜３０ｍｍ、幅４５〜５０ｍｍの無変質性木材の無垢木板に螺着したものであって、長さとしてはテーブル台、カウンター台の天板の長さになっていることを特徴とする請求項１、又は請求項２に記載の擦り傷がつき難い鏡面性表面を持つ広幅型天板台付き家具。
【請求項４】
芯材の広幅の木質基盤平板は、厚さ３０〜４０ｍｍ、幅８００〜９５０ｍｍ、長さ１０００〜２０００ｍｍであって、比重として０．５〜０．８、曲げ強度３５０〜４５０ｋｇｆ／ｃｍ２、吸水による膨張率１．５〜２．０％の木質材で、ＭＤＦ，パーテクルボード、合板から選ばれたものであり、前記被覆化粧表面材である化粧板との接合にはフタル酸エステル系接着剤を使用していることを特徴とする請求項１〜請求項３のいずれかに記載の擦り傷がつき難い鏡面性表面を持つ広幅型天板台付き家具。
【請求項５】
広幅型天板台付き家具は、テーブル、カウンター、カウンター付き大型食器棚であることを特徴とする請求項１〜請求項４のいずれかに記載の擦り傷がつき難い鏡面性表面を持つ広幅型天板台付き家具。